(57)【要約】【課題】バスケット搭載部に載せられたバスケットをレジカウンターに移し替えるに際して、買物客の負担を確実に軽減することができ、副次的にバスケットをほぼ水平姿勢でバスケット搭載部に載せることができるようにしたショッピングカートを提供する。【解決手段】このショッピングカートは、一対の支柱２０，２０間から前方に突出するバスケット搭載部１０を備えている。バスケット搭載部１０は、進行方向に対して交差する方向の両側に一対の側部１１，１１を有するとともに、両側部１１，１１間に中間部１２を有している。両側部１１，１１は、進行方向に対して交差する方向に上り傾斜した傾斜部とされている。一対の支柱２０，２０から前方に底受け部２２が突出するように備えられ、バスケット搭載部１０が底受け部２２上に離隔可能に載せられている。【選択図】図１
2014083929.tif 000002
【特許請求の範囲】
【請求項１】
バスケットを載せるバスケット搭載部を備えたショッピングカートであって、
前記バスケット搭載部は、進行方向に対して交差する方向の両外側に一対の側部を有するとともに、両側部間に中間部を有し、少なくとも一方の側部を含み、かつ、進行方向に対して交差する方向に上り傾斜とした傾斜部を備えていることを特徴とするショッピングカート。
【請求項２】
前記バスケット搭載部の中間部は、平坦に形成されていることを特徴とする請求項１に記載のショッピングカート。
【請求項３】
バスケット搭載部の進行方向後部側に配置される一対の支柱と、前記バスケット搭載部の進行方向後部を引っ掛けるために一対の支柱に設けられた掛止部と、前記バスケット搭載部の進行方向前部を載せるために一対の支柱から前方に突出した底受け部とを備えていることを特徴とする請求項１又は２に記載のショッピングカート。
【請求項４】
前記バスケット搭載部の傾斜部に含まれる側部の外縁よりも外側で、該側部の外縁と同じ高さレベルで並列するように支柱から突出したサイドバーを備えていることを特徴とする請求項１ないし３のいずれかに一項に記載のショッピングカート。
【発明の詳細な説明】
【技術分野】
【０００１】
本発明は、スーパーマーケットなどで使用されるショッピングカートに関し、詳しくは、バスケットを載せるバスケット搭載部を備えたショッピングカートに関する。
【背景技術】
【０００２】
スーパーマーケットなどで使用されるショッピングカートは、バスケットを載せるバスケット搭載部を備えている。バスケット搭載部に載せられたバスケットが滑り落ちないようにするため、バスケット搭載部の周囲には、ガード部が設けられている。
【０００３】
そして、買物客は、代金を支払う際、ショッピングカートのバスケット搭載部に載せられたバスケットをレジカウンターに移し替える。この移し替えにおいて、買物客は、バスケットを一旦、ガード部よりも高く持ち上げ、ガード部を乗り越えさせなければならない。しかし、バスケット内に重量のある商品が入れられていると、高齢者はもとより、健常者であっても、このようなバスケットの移し替えは大きな負担となる。
【０００４】
そこで、バスケットを持ち上げなくてもレジカウンターに移し変えることができるようにしたショッピングカートが提供されている（例えば特許文献１参照）。このショッピングカートは、図７に示すように、バスケットＢ，Ｂを載せることができるバスケット搭載部１１０，１１０を前側と後ろ側とに備えている。
【０００５】
前側及び後ろ側のバスケット搭載部１１０は、進行方向に対して交差する方向（幅方向）に長い傾斜部１１１と短い傾斜部１１２とを備えている。長い傾斜部１１１と短い傾斜部１１２は、幅方向に下がるように傾斜し、両傾斜部１１１，１１２の境界部は、頂部１１３とされている。
【０００６】
ただし、前側のバスケット搭載部１１０の頂部１１３は、進行方向の中心線から右側に偏位し、長い傾斜部１１１が左側に、短い傾斜部１１２が右側に設けられている。また、後ろ側のバスケット搭載部１１０の頂部１１３は、進行方向の中心線から左側に偏位し、長い傾斜部１１１が右側に、短い傾斜部１１２が左側に設けられている。
【０００７】
そして、両バスケット搭載部１１０の周囲には、短い傾斜部１１２の外端縁を除いて上向きに突出したガード部１２１が設けられている。短い傾斜部１１２の外端縁には、ガード部１２１が設けられず、開放部１２２とされている。また、短い傾斜部１１２の外端縁は、レジカウンターよりもやや高い位置となるように配設されている。そして、バスケットＢのほぼ全底面が長い傾斜部１１１に傾斜した姿勢で載せられ、バスケットＢの底面のごく一端部が短い傾斜部１１２側に突出する。
【０００８】
このようなショッピングカートがレジカウンターに横付けされた状態において、買物客は、バスケット搭載部１１０に載せられたバスケットＢを開放部１２２側へスライドさせることで、バスケットＢを持ち上げることなく、レジカウンターに移し替えることができる。
【先行技術文献】
【特許文献】
【０００９】
【特許文献１】特開２００６−２２４６８９号公報
【発明の概要】
【発明が解決しようとする課題】
【００１０】
特許文献１に記載されたショッピングカートは、ガード部１２１を設けない開放部１２２を反対方向に有している。したがって、このショッピングカートは、レジカウンターに横付けされたときに、一方の開放部１２２からレジカウンターにバスケットをスライドさせることができるものの、他方の開放部１２２からレジカウンターにバスケットをスライドさせることができない。要するに、このショッピングカートにあっては、一方のバスケットを持ち上げてレジカウンターに移し替えなければならないという問題を有している。
【００１１】
また、このショッピングカートは、バスケットＢが開放部１２２側に滑り落ちないようにするため、長い傾斜部１１１を備え、バスケットＢを開放部１２２と反対側に滑る方向に傾斜させている。しかし、寿司のような商品、すなわち、容器内で内容物が移動するような商品が傾斜したバスケットＢ内に入れられると、内容物が容器内で偏ってしまい、商品価値を低下させることがある。
【００１２】
そこで、本発明は、バスケット搭載部に載せられたバスケットをレジカウンターに移し替えるに際して、買物客の負担を確実に軽減することができ、副次的にバスケットをほぼ水平姿勢でバスケット搭載部に載せることができるようにしたショッピングカートを提供することを課題とする。
【課題を解決するための手段】
【００１３】
本発明に係るショッピングカートは、バスケットを載せるバスケット搭載部を備えたショッピングカートであって、前記バスケット搭載部は、進行方向に対して交差する方向の両外側に一対の側部を有するとともに、両側部間に中間部を有し、少なくとも一方の側部を含み、かつ、進行方向に対して交差する方向に上り傾斜とした傾斜部を備えていることを特徴としている。
【００１４】
このショッピングカートによれば、少なくとも一方の側部を含む傾斜部が備えられていることにより、バスケット搭載部の中間部上に載せられたバスケットを傾斜した側部側にスライドさせることによって、すなわち、バスケットを持ち上げることなく、レジカウンター上に負担なく移し替えることができる。
【００１５】
そして、バスケット搭載部に載せられたバスケットの側面下部は、バスケット搭載部の傾斜部を含む側部と向き合う状態となる。したがって、バスケットにスライドさせる外力が作用しない限り、バスケットは、バスケット搭載部の傾斜部を含む側部にガードされ、バスケット搭載部から落下しない。
【００１６】
ここで、本発明に係るショッピングカートの一態様として、前記バスケット搭載部の中間部は、平坦に形成されている構成を採用することができる。
【００１７】
このショッピングカートによれば、バスケット搭載部の中間部が平坦に形成されていることにより、バスケットの底面を中間部に重ね合わせることで、ほぼ水平姿勢（完全な水平姿勢を含む。）で載せることができる。
【００１８】
また、本発明に係るショッピングカートの他態様として、バスケット搭載部の進行方向後部側に配置される一対の支柱と、前記バスケット搭載部の進行方向後部を引っ掛けるために一対の支柱に設けられた掛止部と、前記バスケット搭載部の進行方向前部を載せるために一対の支柱から前方に突出した底受け部とを備えている構成を採用することができる。
【００１９】
このショッピングカートによれば、一対の支柱に設けられた掛止部にバスケット搭載部の進行方向後部が引っ掛けられ、一対の支柱から前方に突出した底受け部にバスケット搭載部の進行方向前部が載せられることで、バスケット搭載部が掛止部及び底受け部を介して間接的に支柱に支持されるとともに、バスケット搭載部の進行方向後部と進行方向前部とがそれぞれ掛止部と底受け部とから離隔し、バスケット搭載部が傾斜姿勢となる可動式となることでショッピングカートをネスティングすることができる。
【００２０】
すなわち、仮に、バスケット搭載部がほぼ水平姿勢を維持した状態で固定されていると、ショッピングカートをネスティングしたときに、前のショッピングカートのバスケット搭載部の進行方向後部と後ろのショッピングカートのバスケット搭載部の進行方向前部とが衝突する。しかし、バスケット搭載部が可動式で傾斜姿勢となることにより、後ろのショッピングカートのバスケット搭載部が前のショッピングカートのバスケット搭載部の下側に入り込むようにしてネスティングすることができる。
【００２１】
また、本発明に係るショッピングカートのさらに異なる他態様として、前記バスケット搭載部の傾斜部に含まれる側部の外縁よりも外側で、該側部の外縁と同じ高さレベルで並列するように支柱から突出したサイドバーを備えている構成を採用することができる。
【００２２】
このショッピングカートによれば、支柱から突出したサイドバーがバスケット搭載部の傾斜部に含まれる側部の外縁よりも外側で、この側部の外縁と同じ高さレベルで並列していることにより、スライドさせたバスケットがバスケット搭載部の側部の外縁とサイドバーとに載る状態となる。したがって、バスケットの荷重がバスケット搭載部の側部とサイドバーとに分散され、また、バスケットを安定した姿勢でレジカウンターに載せかえることができる。
【発明の効果】
【００２３】
本発明によれば、バスケットをほぼ水平姿勢でバスケット搭載部に搭載し、このバスケット搭載部に搭載されたバスケットをレジカウンターに移し替えるに際して、負担を軽減することができるようにしたショッピングカートを提供することができる。
【図面の簡単な説明】
【００２４】
【図１】本発明に係るショッピングカートの一実施形態を示す斜視図である。
【図２】本発明に係るショッピングカートを構成しているバスケット搭載部の一実施形態を示す斜視図である。
【図３】本発明に係るショッピングカートの一実施形態を示し、（ａ）は平面図、（ｂ）は（ａ）のＡ−Ａ線断面側面図である。
【図４】本発明に係るショッピングカートの一実施形態を示し、（ａ）（ｂ）は異なる状態でのバスケット搭載部を含む要部を拡大した断面側面図である。
【図５】本発明に係るショッピングカートの一実施形態を示し、（ａ）はバスケットをバスケット搭載部に載せている状態の正面図、（ｂ）はバスケットをバスケット搭載部からスライドさせている状態の正面図である。
【図６】本発明に係るショッピングカートの一実施形態であってネスティングしている状態を示す側面図である。
【図７】従来のショッピングカートの一例を示す斜視図である。
【発明を実施するための形態】
【００２５】
本発明に係るショッピングカートの一実施形態について図１ないし図６を参照しながら説明する。このショッピングカートは、図５に示すように、バスケット搭載部１０に載せられたバスケットＢをスライドさせることでレジカウンターＣに移し替えることができるようにしたことを特徴としている。
【００２６】
そのため、バスケット搭載部１０は、図２にも示すように、進行方向に対して交差する方向（以下、「幅方向」という。）の両側に一対の側部１１，１１を有するとともに、この両側部１１，１１間に中間部１２を有し、幅方向に上り傾斜とした傾斜部を備えている。
【００２７】
この実施形態におけるバスケット搭載部１０の中間部１２は、バスケットＢの底面をほぼ水平姿勢（完全な水平姿勢を含む）で載せる大きさの平坦に形成されている。図示した中間部１２は、進行方向の長さを幅方向の長さよりも短くした平面視長方形状とされている。ただし、中間部１２は、進行方向の長さを幅方向の長さよりも長くした平面視長方形状としてもよい。
【００２８】
また、バスケット搭載部１０の一対の側部１１，１１が傾斜部とされている。この一対の側部１１，１１は、バスケットＢの短辺側の側面下部と対向する。なお、バスケット搭載部１０は、鋼製丸棒のような金属製部材を変形四角形枠状に成形したフレームを組み合わせて構成されている。
【００２９】
このようなバスケット搭載部１０の進行方向後部（以下、「後部」という。）１３には、一対の支柱２０，２０が配設されている。一対の支柱２０，２０の中間部１２上寄り位置には、棒状の掛止部２１が架け渡されている。ただし、掛止部２１は、一方の支柱２０から他方の支柱２０に向かう突起のような突出部によって設けてもよい。
【００３０】
いずれにしても、この掛止部２１にバスケット搭載部１０の後部１３が引っ掛けられる。掛止部２１は、バスケット搭載部１０の平坦部よりも高い位置に配設されるため、バスケット搭載部１０の後部１３は、中間部１２から斜め向きに立ち上がり、上端で下向きに折れ曲がった屈曲部１４を有し、この屈曲部１４が掛止部２１に引っ掛けられる。
【００３１】
そして、一対の支柱２０，２０の中間部１２から前方に、バスケット搭載部１０を載せる底受け部２２が水平方向に突出している。したがって、バスケット搭載部１０は、掛止部２１及び底受け部２２を介して間接的に支柱２０，２０に支持される。
【００３２】
底受け部２２は、変形コ字状の枠状部２２ａと、枠状部２２ａの先端側で幅方向に架け渡された板状の支承部２２ｂとを備えている。枠状部２２ａの各基端部が各支柱２０に固定されている。また、支承部２２ｂの中間位置の２か所には、小孔２２ｃ（図４参照）が形成されている。
【００３３】
支承部２２ｂ上にバスケット搭載部１０の前部１５が接離可能に載せられるが、バスケット搭載部１０の前部１５には、前記小孔２２ｃ内に挿入される軸部１６が下向きに突出している。軸部１６の先端は折り曲げられて係止部１７とされている。
【００３４】
バスケット搭載部１０の前部１５が支承部２２ｂに載せられている通常状態においては、図４（ａ）に示すように、係止部１７は支承部２２ｂの下方に離間している。しかし、バスケット搭載部１０の前部１５が支承部２２ｂから上昇すると、図４（ｂ）に示すように、係止部１７が支承部２２ｂの下面に衝止する。したがって、バスケット搭載部１０は、支承部２２ｂから一定の高さだけで上昇できる可動式とされている。
【００３５】
さらに、底受け部２２の枠状部２２ａの中間部１２には、バスケットＢが前方に滑り落ちないようにするためのフロントガード部２５が上向きに突出するように設けられている。図示したフロントガード部２５は、軸状部材を下向きコ字状に成形したものであるが、形態を限定するものでない。
【００３６】
そして、底受け部２２の枠状部２２ａの上側に一対のサイドバー２３とフロントバー２４とが一体に配設されている。一対のサイドバー２３，２３の各基端部は、各支柱２０に固定されている。また、一対のサイドバー２３，２３の各先端部間に、フロントバー２４が架け渡され、一対のサイドバー２３，２３とフロントバー２４とが一体化されている。サイドバー２３は、バスケット搭載部１０の側部１１の外縁と同じ高さレベルとされている。また、フロントバー２４は、前記フロントガード部２５と接合し、一体化されている。
【００３７】
このショッピングカートの他の構成は、一般的なショッピングカートと同じである。すなわち、支柱２０の下部には、下部バスケット搭載部２６が設けられている。支柱２０の下端部と下部バスケット搭載部２６とには、キャスター２７が取り付けられている。また、支柱２０の上部には、ハンドル２８が設けられている。図示したハンドル２８は、左右で分離しているが、左右一体に連続したものとしてもよい。
【００３８】
次に、このショッピングカートの使用方法について説明する。バスケットＢをバスケット搭載部１０に載せていない通常状態においては、図１、図３、図４（ａ）に示すように、バスケット搭載部１０の後部１３の屈曲部１４が掛止部２１に引っ掛けられ、バスケット搭載部１０の前部１５が底受け部２２の支承部２２ｂに載った状態となっている。
【００３９】
このバスケット搭載部１０にバスケットＢが載せられると、図５（ａ）に示すように、バスケットＢの底面がバスケット搭載部１０の中間部１２と重なり合い、バスケットＢの側面下部がバスケット搭載部１０の傾斜部である側部１１と向き合う状態となる。したがって、ショッピングカートがカーブしたときなど、バスケットＢに遠心力が働いたとしても、バスケットＢの側面下部がバスケット搭載部１０の傾斜部である側部１１に当たるため、バスケットＢは側方に脱落しない。
【００４０】
また、バスケットＢの前面がフロントガード部２５に当たることで、バスケットＢは前方に脱落しない。また、バスケットＢの後面がバスケット搭載部１０の立ち上がった後部１３に当たることで、バスケットＢは後方に脱落しない。また、バスケットＢは、ほぼ水平姿勢で中間部１２上に載っているため、寿司のような商品、すなわち、容器内で内容物が移動し得る商品でも、内容物が容器内で偏らない。
【００４１】
そして、代金を支払う際は、ショッピングカートがレジカウンターＣに横付けされ、図５（ｂ）に示すように、バスケットＢをスライドする。バスケット搭載部１０の側部１１が傾斜部とされているため、買物客は、バスケットＢを持ち上げることなく、スライドすることでレジカウンターＣに移し替えることができる。
【００４２】
レジカウンターＣに移し替えられる途中のバスケットＢは、バスケット搭載部１０の側部１１の側縁とサイドバー２３の２本に載る状態となるため、不安定な姿勢となることはない。また、ショッピングカートがレジカウンターＣに横付けされることにより、バスケットＢの移し替え方向先端部は、直ちにレジカウンターＣ上に載る。したがって、このショッピングカートは、バスケットＢをバスケット搭載部１０からレジカウンターＣに移し替える際の買物客の負担を軽減することができる。
【００４３】
そして、このショッピングカートは、バスケット搭載部１０が底受け部２２から離間可能とされているため、図６に示すように、ネスティングすることができる。すなわち、停止しているショッピングカートの後ろから別のショッピングカートが前進すると、後ろのショッピングカートのフロントガード部２５が前のショッピングカートのバスケット搭載部１０を、図４（ｂ）に示すように（同図は前側のショッピングカートの要部のみ示す。）押し上げる。
【００４４】
バスケット搭載部１０の後部１３の屈曲部１４は、支柱２０に設けられた掛止部２１に引っ掛けられているだけであるため、後ろから前進したショッピングカートのフロントガード部２５に突き上げられることで、掛止部２１から外れて上昇する。
【００４５】
そして、後ろのショッピングカートがさらに前進すると、後ろのショッピングカートのフロントガード部２５が前のショッピングカートのバスケット搭載部１０の中間部１２を押し上げる。すると、前側のショッピングカートのバスケット搭載部１０の前部１５も上昇する。ただし、バスケット搭載部１０の前部１５に設けられた係止部１７が支承部２２ｂの下面に衝止することで、これ以上、バスケット搭載部１０は上昇しない。
【００４６】
したがって、このショッピングカートは、図６に示すように、後ろ側のショッピングカートのバスケット搭載部１０が前側のショッピングカートのバスケット搭載部１０の下側に入り込み、前側のバスケット搭載部１０が底受け部２２から外れることなくネスティングすることができる。
【００４７】
なお、本発明は、前記実施の形態に限定することなく種々変更することができる。例えば、前記実施の形態では、バスケット搭載部１０の中間部１２を平坦部としたが、中間部１２を両側部１１の傾斜部に連続する傾斜部としてもよい。すなわち、このバスケット搭載部１０は、正面視で鈍角のＶ字状に形成される。この場合であっても、バスケットＢを中心に載せることで、バスケットＢはほぼ水平姿勢となる。
【００４８】
また、前記実施の形態では、両側部１１，１１を傾斜部としたが、片側の側部１１のみ傾斜部としてもよい。この場合の他側の側部１１は、上向きに起立した状態とされ、バスケットＢが脱落しないようにする。そして、起立した側部１１側がレジカウンターに横付けされる場合は、ショッピングカートを１８０°回転し、傾斜部の側部１１をレジカウンターに横付けする。こうすることで、バスケットＢをレジカウンターＣの方にスライドさせることができる。
【００４９】
また、前記実施の形態では、ネスティングできるようにバスケット搭載部１０を可動式としたが、ネスティングする必要がないショッピングカートにあっては、バスケット搭載部１０を固定式としてもよい。
【符号の説明】
【００５０】
１０……バスケット搭載部
１１……側部
１２……中間部
１３……後部
２０……支柱
２１……掛止部
２２……底受け部
２３……サイドバー
Ｂ………バスケット
【図１】
2014083929.tif 000003
【図２】
2014083929.tif 000004
【図３】
2014083929.tif 000005
【図４】
2014083929.tif 000006
【図５】
2014083929.tif 000007
【図６】
2014083929.tif 000008
【図７】
2014083929.tif 000009